(57)【要約】【課題】上部に吊りボルト螺装用ナット１１を設け、下方にボルト孔１２を有する支持片１３を形成した吊り下げタンバックル１と、円形に湾曲して上下二分割した帯体２１を下方部分で蝶結し、帯体上部に前記支持片に沿って且つ対応するボルト孔２３を設けた配管バンド２とを備えた配管用金具を使用した配管作業の能率を高める改良金具を提供する。【解決手段】支持片側面に係止突起１４を設けると共に、連結片に前記係止突起と対応する係止受け部２５を設けたり、蝶結箇所２２に対向する帯体を閉口する方向に付勢する発条２６を付設してなる。【選択図】  図１
2005009552.tif 000002
【特許請求の範囲】
【請求項１】
上部に吊りボルト螺装用ナットを設け、下方にボルト孔を有する支持片を形成した吊り下げタンバックルと、円形に湾曲して左右二分割した帯体を下方部分で蝶結し、帯体上部に前記支持片に沿って且つ対応するボルト孔を設けた連結片を有する配管バンドとを備え、支持片の側面に係止突起を設けると共に、連結片に前記係止突起と対応する係止受け部を設けてなることを特徴とする配管用金具。
【請求項２】
上部に吊りボルト螺装用ナットを設け、下方にボルト孔を有する支持片を形成した吊り下げタンバックルと、円形に湾曲して左右二分割した帯体を下方部分で蝶結し、帯体上部に前記支持片に沿って且つ対応するボルト孔を設けた連結片を有する配管バンドとを備え、蝶結箇所に対向する帯体を閉口する方向に付勢する発条を付設してなることを特徴とする配管用金具。
【請求項３】
請求項１記載の配管用金具において、蝶結箇所に対向する帯体を閉口する方向に付勢する発条を付設してなる配管用金具。
【発明の詳細な説明】
【０００１】
【産業上の利用分野】
本発明は、吊り下げタンバックルと配管バンドによってパイプを配管するための配管用金具に関するものである。
【０００２】
【従来の技術】
パイプ吊り下げによって配管を行うために使用する配管用金具は，吊り下げタンバックルと配管バンドによって構成され、吊り下げタンバックルは、上端に吊りボルト螺装用ナットを設け、下方にボルト孔を有する支持片を備えてなるもので、配管バンドは、ヒンジ連結した湾曲帯体でパイプを抱持すると共に、帯体上部にボルト孔を設けた連結片を設けているものである。
【０００３】
前記の配管用金具による配管工事は、吊り下げタンバックルと配管バンドを一組とし、管路予定箇所に所定の間隔で吊り下げタンバックルを垂設し、パイプを抱持した配管バンドを連結用ボルトとナットを使用して連結吊り下げしていくものである。
【０００４】
ところで前記の配管作業は、予め開口状態の配管バンドを吊り下げておき、当該配管バンド内にパイプを位置させて、配管バンドの開口帯体を回動し、その連結片のボルト孔にボルト軸を貫通させ、このボルトにナットを緊締していくものである。しかし配管バンドを予め連結ボルトを仮差込して配管バンドを吊り下げておいた場合には、ボルト孔がボルト軸より径大となっているため、ボルトが外れて配管バンドが落下する恐れがあるので、貫通ボルトにナットを螺合しておく（仮止め）。このためパイプを抱持し連結片を支持片に連結固定する際に、片方の手で仮止めナットを一旦外し、パイプを片手で支持した状態で再度ナットの螺合緊締作業（本止め）をする必要があり、作業がやり難く、作業能率上好ましくはない。
【０００５】
この対策として従前では、ボルト孔の下方内縁を鋭角に形成し、この鋭角内縁にボルトのネジ溝が係止されるようにして、ボルトの抜けを防止している（特許文献１）。
【０００６】
更に前記の配管作業に際しては、パイプを配管バンドに抱持させる際に、単位パイプの全長にわたって行う必要があり、その作業能率向上の要請から、配管バンドにパイプを仮置きできる構造のバンドも提案されている（特許文献２）。
【０００７】
すなわち配管バンドを、垂線より３０〜４０度ずれた範囲で蝶結し、開口したバンドにパイプを差し入れて仮置きできるようにしたものである。
【０００８】
【特許文献１】
特開２０００−４６２４４号公報。
【特許文献２】
特開２００２−１３９１７４号公報。
【０００９】
【発明が解決しようとする課題】
前記の仮止め作業を行わないようにボルト軸のネジ溝にボルト孔縁部を係止する手段は、ボルトのネジ山が係止した状態でのボルトの更なる差込やナットによる螺合によって、ボルトのネジ山を破損しやすいし、配管バンドにパイプを抱持させる作業に際して配管バンドの上下動によって前記の係止が解除され、ボルト落下の恐れも生ずる。
【００１０】
またパイプ仮置きに際して、配管バンドを垂線よりずれた位置で開口する場合の開口幅は配管バンドの円形がパイプ外形と一致していると、理論的にはパイプのバンド内への侵入は不可能である。すなわち可能とするにはバンド外形をパイプ直径より大きく形成しておく必要があり、このため逆に連結片の挟圧によってバンドによるパイプの強い抱持ができない結果となる。
【００１１】
そこで本発明は、作業能率に優れた新規な配管金具を提案したものである。
【００１２】
【課題を解決する手段】
本発明に係る配管用金具は、上部に吊りボルト螺装用ナットを設け、下方にボルト孔を有する支持片を形成した吊り下げタンバックルと、円形に湾曲して左右二分割した帯体を下方部分で蝶結し、帯体上部に前記支持片に沿って且つ対応するボルト孔を設けた連結片を有する配管バンドとを備え、支持片の側面に係止突起を設けると共に、連結片に前記係止突起と対応する係止受け部を設けたり、蝶結箇所に対向する帯体を閉口する方向に付勢する発条を付設してなることを特徴とするものである。
【００１３】
従ってタンバックルの係止突起に、配管バンドの連結片の係止受け部を係止することで、ボルトを仮に貫通装着しておく必要がなく、配管バンドの吊下げが可能で、当該状態でのボルトナットの螺合緊締作業が両手で実施できる。
【００１４】
また、蝶結箇所に対向する帯体を閉口する方向に付勢する発条を付設しておくことで、パイプを手放し状態でも抱持することになる。
【００１５】
【実施の形態】
次に本発明の実施の形態について説明する。配管用金具は、タンバックル１と配管バンド２と、装着ボルト３とナット４とで構成される。
【００１６】
タンバックル１は、従前金具と同様に、上部に吊りボルト０１を螺装するナット１１を設け、下方にボルト孔１２を有する支持片１３を備え、更に支持片１３の側面に係止突起１４を突設したものである。
【００１７】
配管バンド２は、一定の規格のパイプ０２の外径に対応する円形に湾曲して左右二分割した帯体２１を下方部分で蝶結（蝶結部２２）し、帯体２１の上部に前記支持片１３に沿う形状で且つボルト孔１２と対応するボルト孔２３を設けた連結片２４を形成すると共に、前記連結片２４に前記係止突起１４と対応する係止受け部（透孔）２５を設け、更に蝶結部２２に、対向する帯体２１が閉口する方向へ付勢した発条２６を付設してなる。
【００１８】
而してタンバックル１を配管路となる箇所に吊ボルト０１によって吊り下げ配置し、配管すべきパイプ０２に配管バンド２を装着しようとした場合には、配管バンド２が発条２６の付勢力で閉口するので、配管バンド２は容易にパイプ０２に仮装着でき、当該状態で配管バンド２の係止受け部２５を、タンバックル１の係止突起１４に引っ掛けて係止することで、パイプ０２の仮配管が実現する。
【００１９】
そして支持片１３と連結片２４の両ボルト孔１２，２３を貫通するボルト３にナット４を緊締螺合すると、配管の本止めがなされるものである。
【００２０】
したがってパイプを配管バンドで抱持した状態で、仮の吊り下げ配管が実現するので、パイプの仮置き配管において、パイプの落下などの恐れがなく、また片手でパイプを保持する必要がなく両手で本止め作業を行うことができるので、作業性が向上する。
【００２１】
また配管バンド２によるパイプの抱持も、発条２６の付勢力で自然になされるので、パイプの仮置き作業自体も容易に行うことができる。
【００２２】
尚前記実施形態は、吊り下げ配管について説明したが、同一金具を使用して壁面に沿った立て配管や横配管も可能であることは云うまでもない。
【００２３】
【発明の効果】
以上のように本発明は、上部に吊りボルト螺装用ナットを設け、下方にボルト孔を有する支持片を形成した吊り下げタンバックルと、円形に湾曲して左右二分割した帯体を下方部分で蝶結し、帯体上部に前記支持片に沿って且つ対応するボルト孔を設けた連結片を有する配管バンドとを備え、支持片の側面に係止突起を設けると共に、連結片に前記係止突起と対応する係止受け部を設けたり、蝶結箇所に対向する帯体を閉口する方向に付勢する発条を付設してなる配管用金具で、ボルトを使用しない仮置き配管が可能であり、本止め作業を両手で行うことができ、配管作業の能率を著しく向上させたものである。
【図面の簡単な説明】
【図１】本発明の実施形態の全体斜視図。
【図２】同使用状態の説明図
【符号の説明】
１        タンバックル
１１      ナット（吊り下げボルト用）
１２      ボルト孔
１３      支持片
１４      係止突起
２        配管バンド
２１      帯体
２２      蝶結部
２３      ボルト孔
２４      連結片
２５      係止受け部（透孔）
２６      発条
【図１】
2005009552.tif 000003
【図２】
2005009552.tif 000004